(57)【特許請求の範囲】
【請求項１】
Ｒ（赤）、Ｇ（緑）及びＢ（青）の３つの原色個々の発光強度を調整することにより多色画像を再現する自発光型カラーディスプレイの色調整用チャートにおいて、
原色信号の混合比率がそれぞれ等量なものを含み、混合比率を違えた複数の色図形を画面上に配置することにより、無彩色を含む無彩色に近い複数の色図形が配置されており、
前記複数の色図形の配置は、原色信号の混合比率がそれぞれ等量のものを中心として、
前記中心より右方向の色図形については、順にＧ（緑）の信号の混合比率を所定階調ずつ増やしていき、同時にＲ（赤）の信号の混合比率を所定階調ずつ減らしていき、
前記中心より左方向の色図形については、順にＧ（緑）の信号の混合比率を所定階調ずつ減らしていき、同時にＲ（赤）の信号の混合比率を所定階調ずつ増やしていき、
前記中心より上方向の色図形については、順にＹ（黄）すなわちＲ（赤）及びＧ（緑）の信号の混合比率を所定階調ずつ増やしていき、同時にＢ（青）の信号の混合比率を所定階調ずつ減らしていき、
前記中心より下方向の色図形については、順にＢ（青）の信号の混合比率を所定階調ずつ増やしていき、同時にＹ（黄）すなわちＲ（赤）及びＧ（緑）の信号の混合比率を所定階調ずつ減らしていく
ように配置されており、
これにより、配置した色図形の色に、画面上に横方向にＲ（赤）−Ｇ（緑）の変化が、縦方向にＹ（黄）−Ｂ（青）の変化が、それぞれ表されている
ことを特徴とする自発光型カラーディスプレイの色調整用チャート。
【請求項２】
Ｒ（赤）、Ｇ（緑）及びＢ（青）各８ｂｉｔ（０〜２５５の２５６階調）で再現色を制御している自発光型カラーディスプレイに適用するための色調整用チャートであって、
前記中心の色図形の各原色信号の混合比率の階調は（Ｒ、Ｇ、Ｂ）＝（２１９、２１９、２１９）であり、
前記所定階調は９階調である
ことを特徴とする請求項１記載の自発光型カラーディスプレイの色調整用チャート。
【請求項３】
前記複数の色図形は、縦と横に５個ずつ、計２５個配置することにより構成されている
ことを特徴とする請求項１もしくは請求項２記載の自発光型カラーディスプレイの色調整用チャート。
【請求項４】
前記複数の色図形を発光がゼロの背景上に配置した
ことを特徴とする請求項１、請求項２もしくは請求項３記載の自発光型カラーディスプレイの色調整用チャート。
【発明の詳細な説明】
【０００１】
【発明の属する技術分野】
本発明は、少なくとも３つの原色各々の発光強度を調整するこにより、多色画像を再現する自発光型カラーディスプレイの色を調整するために用いるチャートに関するものである。
【０００２】
【従来の技術】
自発光型カラーディスプレイとしては、例えばＲ（赤）、Ｇ（緑）、Ｂ（青）の発光体の発光によって自然カラー画像を再現するいわゆるＣＲＴやバックライト方式によるカラー液晶ディスプレイ（ＬＣＤ）、Ｒ、Ｇ、Ｂの発光素子（ＬＥＤ）を用いたもの、プラズマディスプレイパネル（ＰＤＰ）が知られている。これらの自発光型ディスプレイはいずれもＲ、Ｇ、Ｂ各原色の発光強度を調整することによる、いわゆる加法混色により、多くの色を再現している。それぞれの色は、各原色に与えられる信号（入力信号）の混合比率により決定されるが、それに対する原色の発光強度バランスが崩れていると、ディスプレイに再現される色のバランスは崩れ、色調整が必要となる。
【０００３】
また、ディスプレイの色を適正に調整するためのチャートが用いられる。このチャートは、例えば、各原色（Ｒ、Ｇ、Ｂ）とその２次色（Ｒ＋Ｇ＝Ｙ、Ｇ＋Ｂ＝Ｃ、Ｂ＋Ｒ＝Ｍ）、そして白（Ｗ）と黒（Ｂｋ）を配したカラーバーチャートがある。また、カラーバーチャートではないが、色調整用の画像として、全面に白色を表示した白ラスター画像、人物の写っている自然画像などを用いることができる。
上記カラーバーチャート、白ラスター画像、人物画像などによる色調整方法は、原画と比較して同様な再現が得られるように調整したり、あるいは白色や肌色などの記憶色を基準として調整するというものである。原色は、色見本として与えられる場合はほとんど無く、経験により記憶されている色との比較を行うこととなる。ただし、このような比較作業は、オペレータの主観評価により決定されるが、例えば、基準を定めておき、色彩計などの測定器を用いる方法が考えられる。
【０００４】
【発明が解決しようとする課題】
しかしながら、上記カラーバーチャートや白ラスター画像、人物画像を用いて色調整作業を行った場合には、ディスプレイの色のズレの有無はわかるが、画像がズレれてい場合にどの様に調整すれば良いかという調整方法については、オペレータの勘と経験に頼るしかなかった。
また、ディスプレイに表示された画像と原画を比較する際に、上記主観評価による場合は、調整結果がオペレータの主観により変化（左右）する危険性があった。例えば、カラーバーチャートを用いた場合は、オペレータが原色の色を正しく記憶しておく必要が有り、人物画像を用いた場合には、オペレータにより適切とされた肌色自体が異なることが考えられる。また、原画を見本として用いる場合にあっても、視環境によって見本自体の色が変わってしまった。さらに、白ラスター画像を用いる場合については、画面全面のむら（白色均一性）を診るためには適しているが、白色のバランスを診るという目的では、オペレータは画面全面に表示された白色を見ながらその色を調整するため、調整時間が長引くに連れてオペレータの目がその表示色（白色）順応し、本来求めようとしている白色点を正確に求められないことがあった。
【０００５】
本発明は、自発光型ディスプレイの色調整における上記課題を解決するためになされたものであって、色のズレを評価するのみでなく、従来の色調整に用いれていたチャートや画像では分からなかった色調整方法を示し、容易に正確に色調整を行える色調整用チャートを提供することを目的とする。
【０００６】
【課題を解決するための手段】
上記目的を達成するために本発明の請求項１に記載された自発光型カラーディスプレイの色調整用チャートは、Ｒ（赤）、Ｇ（緑）及びＢ（青）の３つの原色個々の発光強度を調整することにより多色画像を再現する自発光型カラーディスプレイの色調整用チャートにおいて、原色信号の混合比率がそれぞれ等量なものを含み、混合比率を違えた複数の色図形を画面上に配置することにより、無彩色を含む無彩色に近い複数の色図形が配置されており、前記複数の色図形の配置は、原色信号の混合比率がそれぞれ等量のものを中心として、前記中心より右方向の色図形については、順にＧ（緑）の信号の混合比率を所定階調ずつ増やしていき、同時にＲ（赤）の信号の混合比率を所定階調ずつ減らしていき、前記中心より左方向の色図形については、順にＧ（緑）の信号の混合比率を所定階調ずつ減らしていき、同時にＲ（赤）の信号の混合比率を所定階調ずつ増やしていき、前記中心より上方向の色図形については、順にＹ（黄）すなわちＲ（赤）及びＧ（緑）の信号の混合比率を所定階調ずつ増やしていき、同時にＢ（青）の信号の混合比率を所定階調ずつ減らしていき、前記中心より下方向の色図形については、順にＢ（青）の信号の混合比率を所定階調ずつ増やしていき、同時にＹ（黄）すなわちＲ（赤）及びＧ（緑）の信号の混合比率を所定階調ずつ減らしていくように配置されており、これにより、配置した色図形の色に、画面上に横方向にＲ（赤）−Ｇ（緑）の変化が、縦方向にＹ（黄）−Ｂ（青）の変化が、それぞれ表されていることを特徴とするものである。
【０００７】
また、請求項２に記載された発明は、Ｒ（赤）、Ｇ（緑）及びＢ（青）各８ｂｉｔ（０〜２５５の２５６階調）で再現色を制御している自発光型カラーディスプレイに適用するための色調整用チャートであって、前記中心の色図形の各原色信号の混合比率の階調は（Ｒ、Ｇ、Ｂ）＝（２１９、２１９、２１９）であり、前記所定階調は９階調であることを特徴とする上記自発光型カラーディスプレイの色調整用チャートである。
【０００８】
また、請求項３に記載された発明は、前記複数の色図形は、縦と横に５個ずつ、計２５個配置することにより構成されていることを特徴とする上記自発光型カラーディスプレイの色調整用チャートである。
【０００９】
また、請求項４に記載された発明は、前記複数の色図形を発光がゼロの背景上に配置したことを特徴とする上記自発光型カラーディスプレイの色調整用チャートである。
【００１０】
本発明において使用されている、混合比率が「異なる（違う）」および「等量」の意味を説明する。自発光型カラーディスプレイは、原色の発光強度を調整することにより、多色画像を再現している。この発光強度は各原色に与えられた信号（原色信号）により制御される。従って、この原色信号の混合比率は、様々な場合（再現可能な色数に相当する）がある。たとえば、Ｒ、Ｇ、Ｂの信号値が等しいもの、つまり、Ｒ＝Ｇ＝Ｂ、Ｒ：Ｇ；Ｂ＝１：１：１となるものや、信号値が異なる場合もあるということである。
【００１１】
つまり、本発明の自発光型カラーディスプレイの色調整用チャートは、原色信号の混合比率がそれぞれ等量なものを含み、混合比率を違えた複数の色図形を配置することにより、無彩色を含む無彩色に近い複数の色図形が配置されるようにしたことを特徴としている。
本発明における無彩色を含む無彩色に近い色とは、例えば、ＶＤＴなどで用いられているカラーディスプレイでは、Ｒ、Ｇ、Ｂ各原色の混合比率が等量、すなわち１：１：１である色を無彩色としているが、実際には上記問題としている色ズレが起きていたり、観察環境による影響から、必ずしもこの色が無彩色とは知覚されない。つまりｋ、原色信号の混合比率がそれぞれ等量のものを含み、混合比率を違えた複数の色図形を配置することにより、結果的に配置される図形中に、無彩色のものが含まれるように設定するものである。
【００１２】
また、無彩色とは、一般に白、灰（グレー）、黒をさすものである。ただし、信号として白を再現させるもの（Ｒ：Ｇ：Ｂ＝１：１：１）が送られても、カラーディスプレイの特性によりいろいろな色味のある白（青みがかったり、赤み学科足りしたもの）が再現させることがある。例えば、上記信号に対して青みがかった白が再現されるディスプレイでは、青信号がやや弱い信号（例えば、Ｒ：Ｇ：Ｂ＝１：１：０．９など）に対して、色味のない白、つまり、無彩色として知覚される色が再現されることとなる。
【００１３】
そして、このような色の補正に用いるチャートでは、無彩色を知覚する色が含まれている必要があり、色度図上では、無彩色に近い色を主にチャートに用いることになる。そのため、このチャートには、無彩色も含まれることとなり、無彩色を含む無彩色に近い色ということとしている。
【００１４】
【発明の実施の形態】
以下、図面を用いて本発明の一実施形態を説明する。
本実施の形態で使用される色調整用チャートは、ディスプレイに表示される画像であり、その画像は画像データとして記述されてもかまわないし、そのチャートあるいはチャートデータを発生させるためのアルゴリズムであってもよい。
図１は本発明に係る自発光型カラーディスプレイの色調整用チャートの実施の形態を示している。この色調整用チャート１０は、発光レベル０の背景上に、原色信号の混合比率がそれぞれ等量のものを中心として、混合比率を違えた円形の色図形１２を、例えば縦と横に５個ずつ、合計２５個配置することにより構成されている。例えば、Ｒ、Ｇ、Ｂ各８ｂｉｔ（０〜２５５の２５６階調）で再現色を制御しているディスプレイに、本発明に係るチャートを適用しようとした場合、中心の図形の色を（Ｒ、Ｇ、Ｂ）＝（２１９、２１９、２１９）として、中心より右方の図形については、順にＧを９階調ずつ増やしていき、同時にＲを９階調ずつ減らしていく。また、中心より左方向の図形については、順にＧを９階調ずつ減らしていき、同時にＲを９階調ずつ増やしていく。さらに、中心より上方の図形については、順にＹすなわちＲとＧを９階調ずつ増やしていき、同時にＢを９階調ずつ減らしていく。また、中心より下方の図形については、順にＢを９階調ずつ増やしていき、同時にＹを９階調ずつ減らしていく。このようにして、無彩色を含む無彩色に近い色図形を配置した。このように配置することにより、配置した図形の色は、横方向にＲ−Ｇの変化が、縦方向にＹ−Ｂの変化が表れる。この色の変化は実際には無彩色と知覚される図形が中心のものでない場合であっても、相対的には横方向にＲ−Ｇ、縦方向にＹ−Ｂの色変化が表される。
【００１５】
上記実施の形態では、色図形の色を中心の図形の原色信号の混合比率を１：１：１として横方向にＲ−Ｇの変化、縦方向にＹ−Ｂの変化をさせ、正方形に配置したが、色の変化方向はこれに限るものではなく、例えば、Ｒ−Ｃ（Ｃ＝Ｇ＋Ｂ）の変化としてもよく、ＮＴＳＣ方式のＩ，Ｑ信号に対応させてもよい。あるいは、基準状態や標準ディスプレイの特性による仮想標準状態に設定した場合の原色信号と色彩値との関係から、ＣＩＥ空間（での値を求め、それを基準に色を変化させても良い。ＮＴＳＣのＩ，Ｑ色信号は、各原色信号Ｒ、Ｇ、Ｂによって次式で与えられる。
【００１６】
【数１】
0003867379.tif 000002
【００１７】
また、ＮＥＳＣ方式ではＲ、Ｇ、Ｂ各原色信号とその色彩値（ここではＸＹＺ三刺激値）との間には次式が成り立つ。
【００１８】
【数２】
0003867379.tif 000003
【００１９】
チャートに用いる図形の色は、さらに式２により算出された上記三刺激値からＣＩＥＬＡＢ値あるいはｕ’ｖ’色度値（ＣＩＥ１９７６ＵＣＳ色度）などを計算して、その値を基に変化させればよい。
各図形の配置については、中心の図形の周囲に、円形状に図形を配置し、色相環作成することもできる。また、用いる図形は、円形に限らず三角形、星形、あるいは鳥（例えば、鳩や鴎など）の形といった任意のものでよく、また、表示する個数もここで紹介したものに限る必要はない。
【００２０】
自発光型カラーディスプレイでは、Ｒ、Ｇ、Ｂ各原色信号に対する発光により、色を再現している。このとき、各原色信号に対する発光レベルのバランスが崩れていると、再現される色にズレが生じる。
例えば、ＶＤＴでは与えられた原色信号の混合比率が等しいときに無彩色が再現されるように設定されているが、このとき相対的にＢへの入力信号に対する発光強度が強まっていると、再現される色は全体に青みが強くなる。
また、ディスプレイの白色点が例えば相関色温度６，５００Ｋにされている場合、測定環境の照明光の色温度が同じく６，５００Ｋ付近で有れば、各原色信号の混合比率が等しい場合の再現色は無彩色として知覚されるが、同じディスプレイを相関色温度が約２，８００Ｋの白熱ランプ照明下で観察すると、視覚系が照明光に順応して、長波長光に対する感度が相対的に低くなるため、各原色信号の混合比率が等しい点は青緑によった色に知覚される。このような再現色の色ズレを調整するために、本チャートは用いられる。
【００２１】
つまり、本実施の形態においては、図１に示された図の中心に設定された図形が、各原色信号の混合比率が等しい色で、色ズレが起こっていない場合に無彩色として知覚されるべきものである。ここを中心に右側の色図形は中心のものよりも相対的に緑みが強く、左側の色図形は相対的に赤みが強く知覚される。また、上側の色図形は相対的に黄みが強く、下側の色図形は相対的に青みが強く知覚される。例えば、上述した色ズレは、相対的にＢ信号とＧ信号に対する発光強度がＲ信号に対するものよりも強くなっている場合、このチャートの中心の図形は無彩色ではなく青緑色がかっかて知覚され、それにともなって他の色図形の色も青緑が足された色に知覚されているはずである。その結果、この画面上で無彩色として知覚される図形は中心よりも左上側に見つけられる。
【００２２】
ディスプレイに表示された色調整用チャートに色ズレが生じていない場合は、無彩色となる図形は中心に存在するはずである。しかし、色調整用チャートは右側ほど相対的に緑が強く、左側ほど赤が強く、上側ほど黄が強く、下側ほど青が強くなるように色図形が並んでいる。つまり、ディスプレイに表示された色調整用チャートの中で、無彩色として知覚される図形は、中心よりも左上側にある。従って、このディスプレイは相対的に青緑が強く成っていることを示している。
よって、色調整チャートを用いて色の調整を行うオペレータの視点でみると、例示した色ズレが上記色調整チャートから読み取ることができるものである。つまり、無彩色として知覚されている図形の位置により色ズレの内容を確認することができる。そして、その無彩色と知覚されている図形の位置を直すことにより、使用されるディスプレイの色ズレを無くすことができる。
【００２３】
【発明の効果】
上述したように本発明の請求項１に記載された自発光型カラーディスプレイの色調整用チャートは、無彩色と知覚される図形の位置とその、周囲の図形の色により、自発光型カラーディスプレイの色ズレの方向と度合い（ズレ量）を容易に把握することがきる。
【００２４】
また、色図形の背景を黒色としたことにより、画面への順応による影響を小さくすることができ、正確な色ズレの評価を行うことができる。
【図面の簡単な説明】
【図１】本発明における自発光型カラーディスプレイの色調整用チャートの一実施の形態を示す模式図である。
【符号の説明】
１０……自発光型カラーディスプレイの色調整用チャート
１１……背景
１２……色図形
【図１】
0003867379.tif 000004